(57)【要約】【課題】ズームレンズであり、４枚のレンズ構成であり、画角が１８０°以上も可能な赤外線ズームレンズを提供すること。バックフォーカスの長い赤外線ズームレンズを提供すること。【解決手段】負の屈折力を持つ第１レンズ群と、正の屈折力を持つ第２レンズ群とを備え、変倍時に前記第１レンズ群及び前記第２レンズ群が光軸上を移動し、前記第１レンズ群及び前記第２レンズ群のそれぞれのレンズ群が、２枚の単レンズにより構成されている赤外線ズームレンズ。【選択図】図１
2013225019.tif 000002
【特許請求の範囲】
【請求項１】
負の屈折力を持つ第１レンズ群と、正の屈折力を持つ第２レンズ群とを備え、変倍時に前記第１レンズ群及び前記第２レンズ群が光軸上を移動する赤外線ズームレンズであって、
前記第１レンズ群及び前記第２レンズ群のそれぞれのレンズ群が、２枚の単レンズにより構成されていることを特徴とする赤外線ズームレンズ。
【請求項２】
前記第１レンズ群の焦点距離をf1、広角時の焦点距離をfwとしたとき、
-4.7<f1/fw<-2.2        ・・・・・・・・・・・・・・（１）
を満たすことを特徴とする請求項１記載の赤外線ズームレンズ。
【請求項３】
前記第２レンズ群の焦点距離をf2、広角時の焦点距離をfwとしたとき、
2.0<f2/fw<4.0          ・・・・・・・・・・・・・・（２）
を満たすことを特徴とする請求項１記載の赤外線ズームレンズ。
【請求項４】
前記第１レンズ群が、物体側の凸の負メニスカスレンズと、像側の凸の正メニスからなることを特徴とする請求項１〜３のうちの一項に記載の赤外線ズームレンズ。
【請求項５】
前記第２レンズ群が、少なくとも一つの非球面を有することを特徴とする請求項１〜４のうちの一項に記載の赤外線ズームレンズ。
【請求項６】
前記第１レンズ群のレンズと前記第２レンズ群のレンズが、ゲルマニウムにより構成されることを特徴とする請求項１〜５のうちの一項に記載の赤外線ズームレンズ。
【発明の詳細な説明】
【技術分野】
【０００１】
本発明は、赤外線ズームレンズ、さらに詳しくは、８〜１４μmの赤外線を使用して、暗所等における侵入監視用の撮像装置や温度分布測定装置等に用いる赤外線広角ズームレンズに関する。
【背景技術】
【０００２】
監視撮像装置は効率的に監視するために広い視野を得ることが重要である。また、赤外線光学系は、赤外線用レンズ材料が高価な上、レンズ表面反射による光量損失を極力減少させることが強く望まれている。
【０００３】
従来の赤外線レンズとしては、画角が１１２°であるが、単焦点であって、物体側より順に、凹メニスカス第１レンズＬ1，凹第２レンズＬ２，凸第３レンズＬ３、凸第４レンズＬ４の４枚のレンズよりなり、中間像を形成する対物レンズＯＬと、同じく物体側より順に、凸メニスカス第５レンズＬ５，凹第６レンズＬ６，凸第７レンズＬ７，凸第８レンズＬ８よりなり、中間像を赤外線検出器１上に再結像させるれリレーレンズＲＬとで構成し、かつ上記８枚のレンズを２種類の赤外線透過材料で構成するとともに、上記第２レンズＬ２と第６レンズＬ６を、第１，第３〜第５，第７〜第９レンズを構成する赤外線透過材料に較べ、分量の大きな赤外線透過材料とし、第８レンズと像間に冷却された開口絞りを配置し、所定の条件式を満たす赤外線レンズが提案されている（例えば、特許文献１参照）。
【０００４】
従来の他の赤外線レンズとしては、レンズ枚数を削減し、全てのレンズ材料に硫化亜鉛を用い、小型、低コストを図った赤外線ズームレンズであって、物体側から順に、第１ないし第３レンズ群を備え、ズーミング時に前記第１及び第３レンズ群が固定された状態で、前記第２レンズ群が移動され、前記第１ないし第３レンズ群はそれぞれ、硫化亜鉛により形成された少なくとも１つのレンズを有する赤外線ズームレンズが提案されている（例えば、特許文献２参照）。
【０００５】
従来の他の赤外線レンズとしては、バックフォーカスを焦点距離と同程度かそれ以上長くして十分に長さを確保し、かつ周辺性能と適度なコンパクト性とを満足しつつ開口効率１００％を達成することができるものが提案されている。該赤外線ズームレンズは、物体側に凸面を向けた負のメニスカスレンズからなる第１レンズＬ１と正の屈折力を持つ第２レンズＬ２とで構成された負の第１レンズ群Ｇ１と、像側に凸面を向けた正のメニスカスレンズからなる第３レンズＬ３と物体側に凸面を向けた正のメニスカスレンズからなる第４レンズＬ４とで構成された正の第２レンズ群Ｇ２とを備え、所定の条件を満足する構成を有する（例えば、特許文献３参照）。
【先行技術文献】
【特許文献】
【０００６】
【特許文献１】特開平０４−３５６００８号公報
【特許文献２】特許第３９８２５５４号公報
【特許文献３】特開２００５−１７３３４６号公報
【発明の概要】
【発明が解決しようとする課題】
【０００７】
特許文献１に開示されている赤外線レンズは、８枚レンズ構成であって、レンズ表面反射やレンズ吸収による光量損失や、高い製造コストの問題がある。単焦点レンズであることによるズームレンズに比較した使い勝手の悪さや、特に監視装置に使用した場合の画角１１２°の不便さが解決されていない。
【０００８】
特許文献２に開示されている赤外線ズームレンズは、単一レンズ４枚の構成であり、レンズ表面やレンズ光吸収による光量損失を抑え、製造コストも抑えている。しかし、画角が最大２０°程度と極めて狭く、特に監視装置に使用した場合に大きな欠点がある。
【０００９】
特許文献３に開示されたているマクロレンズは、単焦点レンズであることによるズームレンズに比較した使い勝手の悪さや、画角４０°以下という特に監視装置に使用した場合の不便さが解決されていない。
【００１０】
（発明の目的）
本発明は、従来の赤外線レンズの上述した問題点に鑑みなされたものであって、ズームレンズであり、４枚のレンズ構成であり、画角が１８０°以上も可能な赤外線ズームレンズを提供することを目的とする。
本発明はまた、バックフォーカスの長い赤外線ズームレンズを提供することを目的とする。
【課題を解決するための手段】
【００１１】
本発明は、
負の屈折力を持つ第１レンズ群と、正の屈折力を持つ第２レンズ群とを備え、変倍時に前記第１レンズ群及び前記第２レンズ群が光軸上を移動する赤外線ズームレンズであって、
前記第１レンズ群及び前記第２レンズ群のそれぞれのレンズ群が、２枚の単レンズにより構成されていることを特徴とする赤外線ズームレンズである。
【発明の効果】
【００１２】
本発明の赤外線ズームレンズよれば、４枚のレンズ構成であり、画角が１８０°以上も可能な赤外線ズームレンズを構成することができる。さらに、長いバックフォーカスを有し使い勝手のよい赤外線ズームレンズを構成することができる。
【００１３】
（本発明の実施態様）
（実施態様１）
上述した本発明において、前記第１レンズ群の焦点距離をf1、広角時の焦点距離をfwとしたとき、
-4.7<f1/fw<-2.2        ・・・・・・・・・・・・・・（１）
を満たすことを特徴とする。
【００１４】
条件式（１）は、広角側での像面湾曲を適正に保つための条件式である。条件式（１）の上限、下限を逸脱すると、像面湾曲が発生し良好な解像を実現できない。また、条件式（１）の下限を超えてしまうと、バックフォーカスが短くなり、赤外線ズームレンズに必要なシャッター機構等を設置できなくなり、該赤外線ズームレンズを使用した測定装置の検知精度が下がってしまう。
【００１５】
（実施態様２）
上述した本発明において、前記第２レンズ群の焦点距離をf2、広角時の焦点距離をfwとしたとき、
2.0<f2/fw<4.0          ・・・・・・・・・・・・・（２）
を満たすことを特徴とする。
【００１６】
条件式（２）は、球面収差を小さくするための条件式である。条件式（２）の下限を超えると、球面収差がオーバーになり十分な解像を確保できない。逆に上限を超えるとアンダーになってしまう。
【００１７】
（実施態様３）
上述した本発明において、前記第１レンズ群が、物体側の凸の負メニスカスレンズと、像側の凸の正メニスカスレンズからなることを特徴とする。
【００１８】
前記第１レンズ群の構成は、広角レンズの歪曲、像面湾曲、色収差の発生を少なくしている。第１レンズ群の物体側レンズが物体側へ凸の形状となることにより、前記物体側レンズの物体側レンズ面への光入射角度が小さくなり、歪曲収差を低減することができる。第１レンズ群の像側レンズが像側へ凸の正メニスカスレンズとすることにより、第一レンズ群で発生した色収差を低減させるとともに、像面湾曲を小さくすることができる。
【００１９】
（実施態様４）
上述した本発明において、前記第２レンズ群が、少なくとも一つの非球面を有することを特徴とする。
【００２０】
前記第２レンズ群の物体側レンズに非球面を採用することにより、球面収差を抑制し良好な解像度を達成できる。また、前記第２レンズ群の像側レンズに非球面を採用することにより、像面湾曲を削減することができる。
【００２１】
（実施態様５）
上述した本発明において、前記第１レンズ群のレンズと前記第２レンズ群のレンズが、ゲルマニウムにより構成されることを特徴とする。
【００２２】
このように構成することにより、各レンズが薄くなり、レンズ吸収による光量損失を抑えることができる。
【図面の簡単な説明】
【００２３】
【図１】本発明の実施形態１の赤外線ズームレンズの無限遠合焦状態で広角端から望遠端までのレンズ群移動を示す光学断面図である。
【図２】本発明の実施形態１の赤外線ズームレンズの波長１０μｍにおける無限遠合焦状態の広角端の収差図であり、球面収差図（ａ）、非点収差図（ｂ）、ディストーション収差図（ｃ）である。
【図３】本発明の実施形態１の赤外線ズームレンズの波長１０μｍにおける無限遠合焦状態の望遠端の収差図であり、球面収差図（ａ）、非点収差図（ｂ）、ディストーション収差図（ｃ）である。
【図４】本発明の実施形態２の赤外線ズームレンズの無限遠合焦状態で広角端から望遠端までのレンズ群移動を示す光学断面図である。
【図５】本発明の実施形態２の赤外線ズームレンズの波長１０μｍにおける無限遠合焦状態の広角端の収差図であり、球面収差図（ａ）、非点収差図（ｂ）、ディストーション収差図（ｃ）である。
【図６】本発明の実施形態２の赤外線ズームレンズの波長１０μｍにおける無限遠合焦状態の望遠端の収差図であり、球面収差図（ａ）、非点収差図（ｂ）、ディストーション収差図（ｃ）である。
【図７】本発明の実施形態３の赤外線ズームレンズの無限遠合焦状態で広角端から望遠端までのレンズ群移動を示す光学断面図である。
【図８】本発明の実施形態３の赤外線ズームレンズの波長１０μｍにおける無限遠合焦状態の広角端の収差図であり、球面収差図（ａ）、非点収差図（ｂ）、ディストーション収差図（ｃ）である。
【図９】本発明の実施形態３の赤外線ズームレンズの波長１０μｍにおける無限遠合焦状態の望遠端の収差図であり、球面収差図（ａ）、非点収差図（ｂ）、ディストーション収差図（ｃ）である。
【図１０】本発明の実施形態４の赤外線ズームレンズの無限遠合焦状態で広角端から望遠端までのレンズ群移動を示す光学断面図である。
【図１１】本発明の実施形態４の赤外線ズームレンズの波長１０μｍにおける無限遠合焦状態の広角端の収差図であり、球面収差図（ａ）、非点収差図（ｂ）、ディストーション収差図（ｃ）である。
【図１２】本発明の実施形態４の赤外線ズームレンズの波長１０μｍにおける無限遠合焦状態の望遠端の収差図であり、球面収差図（ａ）、非点収差図（ｂ）、ディストーション収差図（ｃ）である。
【図１３】本発明の実施形態５の赤外線ズームレンズの無限遠合焦状態で広角端から望遠端までのレンズ群移動を示す光学断面図である。
【図１４】本発明の実施形態５の赤外線ズームレンズの波長１０μｍにおける無限遠合焦状態の広角端の収差図であり、球面収差図（ａ）、非点収差図（ｂ）、ディストーション収差図（ｃ）である。
【図１５】本発明の実施形態５の赤外線ズームレンズの波長１０μｍにおける無限遠合焦状態の望遠端の収差図であり、球面収差図（ａ）、非点収差図（ｂ）、ディストーション収差図（ｃ）である。
【図１６】本発明の実施形態６の赤外線ズームレンズの無限遠合焦状態で広角端から望遠端までのレンズ群移動を示す光学断面図である。
【図１７】本発明の実施形態６の赤外線ズームレンズの波長１０μｍにおける無限遠合焦状態の広角端の収差図であり、球面収差図（ａ）、非点収差図（ｂ）、ディストーション収差図（ｃ）である。
【図１８】本発明の実施形態６の赤外線ズームレンズの波長１０μｍにおける無限遠合焦状態の望遠端の収差図であり、球面収差図（ａ）、非点収差図（ｂ）、ディストーション収差図（ｃ）である。
【図１９】本発明の実施形態７の赤外線ズームレンズの無限遠合焦状態で広角端から望遠端までのレンズ群移動を示す光学断面図である。
【図２０】本発明の実施形態７の赤外線ズームレンズの波長１０μｍにおける無限遠合焦状態の広角端の収差図であり、球面収差図（ａ）、非点収差図（ｂ）、ディストーション収差図（ｃ）である。
【図２１】本発明の実施形態７の赤外線ズームレンズの波長１０μｍにおける無限遠合焦状態の望遠端の収差図であり、球面収差図（ａ）、非点収差図（ｂ）、ディストーション収差図（ｃ）である。
【図２２】本発明の実施形態８の赤外線ズームレンズの無限遠合焦状態で広角端から望遠端までのレンズ群移動を示す光学断面図である。
【図２３】本発明の実施形態８の赤外線ズームレンズの波長１０μｍにおける無限遠合焦状態の広角端の収差図であり、球面収差図（ａ）、非点収差図（ｂ）、ディストーション収差図（ｃ）である。
【図２４】本発明の実施形態８の赤外線ズームレンズの波長１０μｍにおける無限遠合焦状態の望遠端の収差図であり、球面収差図（ａ）、非点収差図（ｂ）、ディストーション収差図（ｃ）である。
【発明を実施するための形態】
【００２４】
以下に示す実施形態を示す表において、Fno.はFナンバー、ｆ（ｍｍ）は全系の焦点距離を示す。ＮＳはレンズ面番号、Ｒ（ｍｍ）は曲率半径、Ｄ（ｍｍ）はレンズ厚み又はレンズ間隔、GLASSはガラス材料を示す。像面の直前の平行平面板は、想定される受光センサーのカバーガラスである。画角１８０°を超える実施形態においては、歪曲収差がf-θからのずれで示される。焦点距離の変動に伴って変化するレンズ間隔はD(i)と表し、別表にてその数値を示す。レンズ面番号の前の＊は、絞りを設けるレンズ面を示す。
【００２５】
面番号の後のASPHは、その面が非球面であることを示す。非球面形状を表す式は、
【数１】
2013225019.tif 000003
である。
上記非球面式において、H（ｍｍ）は光軸に垂直な高さを示す。面頂を原点としたときの高さH（ｍｍ）における光軸方向の変位量をX(H)（ｍｍ）、近軸曲率半径をR（ｍｍ）、円錐係数をεで示す。2次の非球面係数をA，4次の非球面係数をB，6次の非球面係数をC，8次の非球面係数をD，10次の非球面係数をEとする。
【００２６】
（実施形態１）
広角         望遠
f            5.5074      10.9999
FNo.         1.0          1.0
画角(度)     146          58
【００２７】
NS            R           D         GLASS
1         162.5508      2.0000     GERMANIUM
2          28.1248      2.8194
3          50.8843      3.0000     GERMANIUM
4          96.9194      D( 4)
*5 ASPH    -37.7097      2.5000     GERMANIUM
6 ASPH    -28.2894     17.1482
7        -353.9810      4.0000     GERMANIUM
8 ASPH    -46.9963      D( 8)
9           0.0000      1.0000     GERMANIUM
10           0.0000      D(10)
【００２８】
ASPH 0(EP)     2(A)          4(B)          6(C)          8(D)         10(E)
5   1.0000 0.00000E+000 -1.31301E-005 -4.95816E-008  1.90202E-009  1.03297E-011
6   1.0000 0.00000E+000 -2.91225E-006  3.58006E-008 -6.19449E-011  1.61329E-011
8   1.0000 0.00000E+000  6.89731E-006 -5.32536E-008  3.79466E-010 -1.07892E-012
【００２９】
広角        望遠
D( 4)     34.5340     5.0410
D( 8)     11.0000    16.0177
D(10)      1.9995     1.9995
【００３０】
（実施形態２）
広角        望遠
f              4.5044    11.9999
FNo             1.2        1.7
画角(度)        190        54
【００３１】
NS            R           D         GLASS
1          36.1370      2.0000     GERMANIUM
2 ASPH     16.4875      5.0008
3          21.8759      2.0000     GERMANIUM
4          23.5100      D( 4)
*5          34.5500      2.5000     GERMANIUM
6 ASPH     73.2352      8.2976
7 ASPH   -329.4570      4.0000     GERMANIUM
8 ASPH    -78.7309      D( 8)
9           0.0000      1.0000     GERMANIUM
10           0.0000      D(10)
【００３２】
ASPH 0(EP)      2(A)         4(B)          6(C)           8(D)         10(E)
2   1.0000 0.00000E+000 -2.07909E-006  1.62482E-007 -1.06700E-009  3.15449E-012
6   1.0000 0.00000E+000  1.08902E-005 -4.80838E-008  1.36305E-009 -7.93994E-012
7   1.0000 0.00000E+000  1.07072E-004 -1.43425E-007  9.51005E-009 -4.25566E-011
8   1.0000 0.00000E+000  1.09477E-004  1.70298E-007  3.26594E-009  1.27227E-010
【００３３】
広角           望遠
D( 4)   42.2370       11.1110
D( 8)   11.0000       19.5834
D(10)    1.9720        1.9720
【００３４】
（実施形態３）
広角           望遠
f             7.0106        20.9993
FNo.          1.2            1.7
画角(度)      104            30
【００３５】
NS            R           D         GLASS
1         143.0013      1.5000     GERMANIUM
2          32.5747      3.0000
3          30.8757      2.5000     GERMANIUM
4 ASPH     38.9080      D( 4)
*5 ASPH     19.7913      3.0000     GERMANIUM
6 ASPH     24.1278     10.9378
7 ASPH    -64.7398      2.5000     GERMANIUM
8 ASPH    -37.3774      D( 8)
9           0.0000      1.0000     GERMANIUM
10           0.0000      D(10)
【００３６】
ASPH 0(EP)      2(A)          4(B)         6(C)          8(D)          10(E)
4   1.0000 0.00000E+000  2.39765E-006  2.37825E-008  -1.41078E-010  2.94597E-013
5   1.0000 0.00000E+000  1.09338E-005  2.29118E-007  -3.26433E-010 -2.85914E-012
6   1.0000 0.00000E+000  2.19315E-005  4.79524E-007  -1.70015E-009 -6.41008E-012
7   1.0000 0.00000E+000 -1.25282E-004 -4.32237E-007  -2.02475E-009 -7.77287E-011
8   1.0000 0.00000E+000 -9.50643E-005 -1.92544E-007  -2.19929E-009 -6.52491E-012
【００３７】
D( 4)   42.5890     3.4440
D( 8)   11.0000    22.1919
D(10)    1.9773     1.9773
【００３８】
（実施形態４）
広角          望遠
f              5.5060       10.9997
FNo.            1.4           1.4
画角(度)        146           60
【００３９】
NS            R           D         GLASS
1         200.7370      1.0000     GERMANIUM
2          27.9422      4.2081
3          56.2050      3.0000     GERMANIUM
4          89.8444      D( 4)
*5 ASPH   -635.4664      2.5000     GERMANIUM
6         -76.4709     18.1128
7         253.4195      4.0000     GERMANIUM
8 ASPH    -76.4490      D( 8)
9           0.0000      1.0000     GERMANIUM
10           0.0000      D(10)
【００４０】
ASPH 0(EP)      2(A)          4(B)         6(C)           8(D)          10(E)
5   1.0000 0.00000E+000 -7.55292E-006  1.49663E-007  -4.00515E-009  3.70662E-011
8   1.0000 0.00000E+000  3.72934E-006 -1.75917E-009  -3.20212E-011  1.56511E-013
【００４１】
D( 4)   32.1410     5.4290
D( 8)   10.9999    17.8156
D(10)    2.0000     2.0000
【００４２】
（実施形態５）
広角        望遠
f             5.5070      10.9994
FNo.           1.0          1.0
画角(度)       146          58
【００４３】
NS            R           D         GLASS
1         229.4636      2.0000     GERMANIUM
2          35.7619      3.1848
3          73.5234      3.0000     GERMANIUM
4         187.4687      D( 4)
*5 ASPH    -36.8198      2.5000     GERMANIUM
6 ASPH    -26.5203     15.4371
7        -930.2530      4.0000     GERMANIUM
8 ASPH    -46.6001      D( 8)
9           0.0000      1.0000     GERMANIUM
10           0.0000      D(10)
【００４４】
ASPH 0(EP)    2(A)          4(B)           6(C)           8(D)         10(E)
5  1.0000 0.00000E+000 -6.94878E-005  -3.99514E-007  -2.02256E-009  2.43787E-011
6  1.0000 0.00000E+000 -4.26129E-005  -3.01663E-007  -2.45685E-010  9.68178E-012
8  1.0000 0.00000E+000  1.16738E-005  -1.02902E-007   7.94815E-010 -2.51861E-012
【００４５】
D( 4)   38.8450     3.8060
D( 8)    8.0000    11.4600
D(10)    2.0340     2.0340
【００４６】
（実施形態６）
広角         望遠
f           4.5050      11.9996
FNo.          1.2          1.6
画角(度)      190          54
【００４７】
NS            R           D         GLASS
1          37.0677      2.0000     GERMANIUM
2 ASPH     16.8887      5.0006
3          23.4742      2.0000     GERMANIUM
4          25.8430      D( 4)
*5          24.8626      2.5000     GERMANIUM
6 ASPH     41.5166      9.8931
7 ASPH   -697.0557      4.0000     GERMANIUM
8 ASPH    -97.4120      D( 8)
9           0.0000      1.0000     GERMANIUM
10           0.0000      D(10)
【００４８】
ASPH 0(EP)    2(A)           4(B)          6(C)           8(D)         10(E)
2  1.0000 0.00000E+000  -1.91292E-007  8.91946E-008  -4.29943E-010  1.27474E-012
6  1.0000 0.00000E+000   4.89455E-006 -7.23323E-009  -1.49249E-011  1.22840E-012
7  1.0000 0.00000E+000  -2.60083E-005  9.56299E-007  -5.69716E-009  4.78867E-011
8  1.0000 0.00000E+000  -6.38192E-006  1.09865E-006  -9.28422E-009  1.14686E-010
【００４９】
D( 4)   43.5830    11.0020
D( 8)    8.0308    16.1435
D(10)    1.9999     1.9999
【００５０】
（実施形態７）
広角          望遠
f             7.0092        20.9997
FNo.            1.3            1.4
画角(度)        104            32
【００５１】
NS            R           D         GLASS
1          71.0883      1.5000     GERMANIUM
2          28.3927      3.0000
3          26.2571      2.5000     GERMANIUM
4 ASPH     31.4858      D( 4)
*5 ASPH     16.6405      3.0000     GERMANIUM
6 ASPH     20.7421     10.3540
7 ASPH    -53.8910      2.5000     GERMANIUM
9           0.0000      1.0000     GERMANIUM
10           0.0000      D(10)
【００５２】
ASPH 0(EP)    2(A)          4(B)          6(C)         8(D)          10(E)
4  1.0000 0.00000E+000  4.84784E-006 -3.90181E-009  4.72695E-011  -7.97898E-014
5  1.0000 0.00000E+000  8.80534E-006  2.59031E-007  8.66559E-011  -1.60687E-012
6  1.0000 0.00000E+000  2.16902E-005  5.07503E-007 -2.52777E-010  -1.42451E-011
7  1.0000 0.00000E+000 -3.13776E-004 -5.16760E-007 -9.64229E-009  -4.21353E-010
8  1.0000 0.00000E+000 -2.53740E-004  1.34165E-006 -2.64797E-008   1.26948E-010
【００５３】
D( 4)   47.8050     3.0170
D( 8)    6.3440    14.5876
D(10)    2.0000     2.0000
【００５４】
（実施形態８）
広角          望遠
f             5.0069       10.9997
FNo           1.4           1.5
画角(度)        160           60
【００５５】
NS            R           D         GLASS
1          57.4785      1.0000     GERMANIUM
2 ASPH     18.4108      3.8710
3          24.6080      3.0000     GERMANIUM
4          27.2874      D( 4)
*5 ASPH    172.2550      2.5000     GERMANIUM
6        -149.7565     18.7248
7          82.2994      4.0000     GERMANIUM
8 ASPH   -225.7916      D( 8)
9           0.0000      1.0000     GERMANIUM
10           0.0000      D(10)
【００５６】
ASPH 0(EP)      2(A)          4(B)          6(C)          8(D)         10(E)
2   1.0000  0.00000E+000  5.89403E-006 -1.86961E-008  4.24634E-011  0.00000E+000
5   1.0000  0.00000E+000 -6.30727E-006  1.40745E-007 -2.92830E-009  2.10103E-011
8   1.0000  0.00000E+000  3.06141E-006  3.26661E-009 -2.63159E-011  6.87028E-014
【００５７】
D( 4)   29.9655     5.4243
D( 8)   11.0000    21.1596
D(10)    1.9920     1.9920
【００５８】
各実施形態における本発明の条件式の値は以下の通りである。
f1/fw            f2/fw
実施形態１        -3.43            3.13
実施形態２        -3.11            3.56
実施形態３        -3.24            2.59
実施形態４        -2.80            3.47
実施形態５        -4.50            2.83
実施形態６        -3.27            3.54
実施形態７        -4.03            2.38
実施形態８        -2.31            3.91
【符号の説明】
【００５９】
Ｉｍａｇｅ      結像
ＬＧ１          第１レンズ群
ＬＧ２          第２レンズ群
Ｌ１            第１レンズ群物体側レンズ
Ｌ２            第１レンズ群像側レンズ
Ｌ３            第２レンズ群物体側レンズ
Ｌ４            第２レンズ群像側レンズ
１              第１面
２              第２面
３              第３面
４              第４面
５              第５面
６              第６面
７              第７面
８              第８面
９              第９面
１０            第１０面
【図１】
2013225019.tif 000004
【図２】
2013225019.tif 000005
【図３】
2013225019.tif 000006
【図４】
2013225019.tif 000007
【図５】
2013225019.tif 000008
【図６】
2013225019.tif 000009
【図７】
2013225019.tif 000010
【図８】
2013225019.tif 000011
【図９】
2013225019.tif 000012
【図１０】
2013225019.tif 000013
【図１１】
2013225019.tif 000014
【図１２】
2013225019.tif 000015
【図１３】
2013225019.tif 000016
【図１４】
2013225019.tif 000017
【図１５】
2013225019.tif 000018
【図１６】
2013225019.tif 000019
【図１７】
2013225019.tif 000020
【図１８】
2013225019.tif 000021
【図１９】
2013225019.tif 000022
【図２０】
2013225019.tif 000023
【図２１】
2013225019.tif 000024
【図２２】
2013225019.tif 000025
【図２３】
2013225019.tif 000026
【図２４】
2013225019.tif 000027